(57)【要約】【課題】  大型化を抑制した上で大量のゴミを貯留することができると共に、貯留したゴミを円滑に収集することができるゴミ貯留装置、ゴミ収集システム、及び該システムの運転方法を提供する。【解決手段】  ゴミ貯留装置４が備えるゴミ貯留槽２０には、上流側端部近傍に投入口２１、下流側端部に排出口２２が夫々設けられ、また、排出口２２近傍にはエア導入口２７が設けられている。更に、ゴミ貯留槽２０の内部には、上流方向又は下流方向へと移動可能なプッシュプレート３０が備えられている。投入口２１から投入されたゴミは、プッシュプレート３０によって下流側へ搬送されると共に圧縮され、ゴミ貯留槽２０内に大量に蓄積される。【選択図】  図２
2005029349.tif 000002
【特許請求の範囲】
【請求項１】
両端が閉塞された筒状を成すゴミ貯留槽と、
該ゴミ貯留槽の一端部に設けられて内部へゴミが投入される投入口と、
前記ゴミ貯留槽の他端部に設けられて外部へゴミが排出される排出口と、
該排出口の近傍に設けられ、前記ゴミ貯留槽内へのエアの導入を制御するエア導入弁と、
前記投入口から内部に投入されたゴミを、前記他端側へ搬送する搬送手段と
を備えるゴミ貯留装置。
【請求項２】
前記搬送手段は、前記投入口から内部に投入されたゴミを、前記ゴミ貯留槽内の前記他端側にて圧縮する手段を兼ねている請求項１に記載のゴミ貯留装置。
【請求項３】
前記搬送手段として、ベルトコンベア、プッシュプレート、及びスクリューフィーダのうちの何れかの１つを備える請求項１に記載のゴミ貯留装置。
【請求項４】
前記ゴミ貯留槽内におけるゴミの充填状態を検出する充填状態検出手段を備える請求項１乃至３の何れかに記載のゴミ貯留装置。
【請求項５】
前記充填状態検出手段は、前記ゴミ貯留槽内におけるゴミの占有状態を検出する手段である請求項４に記載のゴミ貯留装置。
【請求項６】
前記充填状態検出手段は、前記搬送手段に生ずる負荷を検出する手段である請求項４に記載のゴミ貯留装置。
【請求項７】
前記充填状態検出手段は、前記貯留槽内のゴミの重量を検出する手段である請求項４に記載のゴミ貯留装置。
【請求項８】
前記充填状態検出手段により検出した情報を出力する充填情報出力手段を備える請求項４乃至７の何れかに記載のゴミ貯留装置。
【請求項９】
前記投入口を介した通気を遮断又は非遮断にする通気遮断手段を備える請求項１乃至８の何れかに記載のゴミ貯留装置。
【請求項１０】
請求項１に記載のゴミ貯留装置と、
前記投入口に接続される投入管と、
前記投入口を介した通気を遮断又は非遮断にする通気遮断手段と、
前記ゴミ貯留槽内のゴミを収集すべく、前記排出口に接続されてゴミを輸送する輸送管と
を備えるゴミ収集システム。
【請求項１１】
請求項４に記載のゴミ貯留装置と、
前記投入口に接続される投入管と、
前記投入口を介した通気を遮断又は非遮断にする通気遮断手段と、
前記ゴミ貯留槽内のゴミを収集すべく、前記排出口に接続されてゴミを輸送する輸送管と、
前記充填状態検出手段による検出した情報を出力する充填情報出力手段と
を備えるゴミ収集システム。
【請求項１２】
請求項１０に記載のゴミ収集システムの運転方法であって、
ゴミ貯留ステップ及びゴミ収集ステップを備え、
前記ゴミ貯留ステップは、前記通気遮断手段を非遮断状態にするステップと、前記投入口を介して投入されたゴミを前記搬送手段によって前記ゴミ貯留槽内の他端側へ搬送するステップとを有し、
前記ゴミ収集ステップは、前記通気遮断手段を遮断状態にするステップと、前記輸送管内を負圧にしてゴミを吸引するステップとを有する
ことを特徴とするゴミ収集システムの運転方法。
【請求項１３】
請求項１１に記載のゴミ収集システムの運転方法であって、
ゴミ貯留ステップ及びゴミ収集ステップを備え、
前記ゴミ貯留ステップは、前記通気遮断手段を非遮断状態にするステップと、前記投入口を介して投入されたゴミを前記搬送手段によって前記ゴミ貯留槽内の他端側へ搬送するステップと、前記充填状態出力手段により出力された前記ゴミ貯留槽内のゴミの充填状態に関する情報に基づいて前記ゴミ収集ステップを実行するか否かを判別するステップとを有し、
前記ゴミ収集ステップは、前記通気遮断手段を遮断状態にするステップと、前記輸送管内を負圧にしてゴミを吸引するステップとを有する
ことを特徴とするゴミ収集システムの運転方法。
【発明の詳細な説明】
【技術分野】
【０００１】
本発明は、ゴミ貯留装置、ゴミ収集システム、及び該システムの運転方法に関する。
【背景技術】
【０００２】
従来、例えば建物内で発生したゴミを収集するため、ゴミ収集システムが提案されている（特許文献１参照）。該システムでは、建物の地下にゴミ貯留装置が配備され、該ゴミ貯留装置は、ゴミを貯める回転ドラム（５）と、該回転ドラムに接続されて吸気口を有する排出シュート（６）とを備えている。
【０００３】
前記回転ドラムは、建物の各階から延設された投入シュート（４）に接続され、一方、前記排出シュートは屋外へ続く輸送管（８）に接続されている。該輸送管の先端は、屋外にてゴミ収集車と連結するためのドッキングステーションなどに接続されている。
【０００４】
このようなゴミ貯留装置の場合、投入シュートを介して受け入れたゴミは、回転ドラムの作用によって排出シュートへ送られ、該排出シュート内のゴミは、輸送管を通じてゴミ収集車などに吸引され収集される。
【特許文献１】特開平５−１３２１０５号公報（第１図）
【発明の開示】
【発明が解決しようとする課題】
【０００５】
ところで、近年では建物の高層化等に起因してゴミの排出量が増大しており、ゴミ貯留装置におけるゴミ処理能力の向上が要望されている。
【０００６】
しかしながら、従来のゴミ貯留装置において、例えば上記回転ドラムの容量を増加させた場合、ゴミ貯留装置が大型化する。一般にゴミ貯留装置は建物の地下に配備されることから、配備に費やす作業及びコストを鑑みれば、その大型化は好ましくない。
【０００７】
また、例えば上記排出シュートの容量を増加させた場合、上述したのと同様に大型化が避けられない上、ゴミの吸引力が低下してゴミの回収が困難になるという課題がある。
【０００８】
そこで、本発明は、大型化を抑制した上で大量のゴミを貯留・収集することができるゴミ貯留装置、ゴミ収集システム、及び該システムの運転方法を提供することを目的とする。
【課題を解決するための手段】
【０００９】
本発明は上記のような事情に鑑みてなされたものであり、本発明に係るゴミ貯留装置は、両端が閉塞された筒状を成すゴミ貯留槽と、該ゴミ貯留槽の一端部に設けられて内部へゴミが投入される投入口と、前記ゴミ貯留槽の他端部に設けられて外部へゴミが排出される排出口と、該排出口の近傍に設けられ、前記ゴミ貯留槽内へのエアの導入を制御するエア導入弁と、前記投入口から内部に投入されたゴミを、前記他端側へ搬送する搬送手段とを備える（請求項１）。
【００１０】
上記ゴミ貯留装置を適用したゴミ収集システムの構成としては、前記ゴミ貯留装置と、前記投入口に接続される投入管と、前記投入口を介した通気を遮断又は非遮断にする通気遮断手段と、前記ゴミ貯留槽内のゴミを収集すべく、前記排出口に接続されてゴミを輸送する輸送管とを備えていてもよい（請求項９，１０）。
【００１１】
上記ゴミ収集システムの運転方法としては、ゴミ貯留ステップ及びゴミ収集ステップを備え、前記ゴミ貯留ステップは、前記通気遮断手段を非遮断状態にするステップと、前記投入口を介して投入されたゴミを前記搬送手段によって前記ゴミ貯留槽内の他端側へ搬送するステップとを有し、前記ゴミ収集ステップは、前記通気遮断手段を遮断状態にするステップと、前記輸送管内を負圧にしてゴミを吸引するステップとを有していてもよい（請求項１２）。
【００１２】
このような構成とすることにより、ゴミ貯留槽の内部空間を有効に活用して大量のゴミをその内部に蓄えることができ、また、ある程度の量のゴミが溜まった後、そのゴミは輸送管を通じて適切に吸引することができる。従って、ゴミ処理能力の向上に伴うゴミ貯留槽の大型化の抑制と、円滑なゴミの収集とを実現することができる。
【００１３】
また、上記ゴミ貯留装置は、前記ゴミ貯留槽内におけるゴミの充填状態を検出する充填状態検出手段を備えていてもよい（請求項４）。この場合、上記ゴミ回収システムは、前記充填状態検出手段による検出した情報を出力する充填情報出力手段を備えていてもよい（請求項８，１１）。また、上記ゴミ回収システムの運転方法としては、前記充填状態出力手段により出力された前記ゴミ貯留槽内のゴミの充填状態に関する情報に基づいて前記ゴミ収集ステップを実行するか否かを判別するステップを備えていてもよい（請求項１３）。
【００１４】
このような構成とすることにより、ゴミ貯留槽内のゴミの充填状態を把握することができ、適切な時期に輸送管を通じてゴミを収集することができる。
【００１５】
また、前記搬送手段は、前記投入口から内部に投入されたゴミを、前記ゴミ貯留槽内の前記他端側にて圧縮する手段を兼ねていてもよい（請求項２）。例えば、搬送手段によるゴミの搬送力を増加させることによって、ゴミ貯留槽内でゴミを圧縮してもよい。この場合には、ゴミ貯留槽の内部空間を更に効率よく活用することができ、大量のゴミを蓄えることができる。
【００１６】
前記搬送手段としては、ベルトコンベア、プッシュプレート、及びスクリューフィーダのうちの何れかの１つを備えていてもよい（請求項３）。
【００１７】
また、前記充填状態検出手段は、前記ゴミ貯留槽内におけるゴミの占有状態を検出する手段であってもよい（請求項５）。この場合には、ゴミの占有状態を、例えばマイクロウェーブ式センサを用いて検出し、その検出結果に基づいて、ゴミ貯留槽内でのゴミの充填状態を検出することができる。その他、光電スイッチ又は近接スイッチ等を用いてもよい。
【００１８】
前記充填状態検出手段は、前記搬送手段に生ずる負荷を検出する手段であってもよい（請求項６）。この場合には、例えばプッシュプレートを移動させるアクチュエータにかかる負荷をトルクセンサ等を用いて検出し、検出した負荷の値に基づいてゴミの充填状態を検出することができる。
【００１９】
前記充填状態検出手段は、前記貯留槽内のゴミの重量を検出する手段であってもよい（請求項７）。この場合には、ゴミ貯留槽自体の重量を、例えば圧力センサを用いて検出し、検出した圧力値に基づいてゴミの充填状態を検出することができる。
【発明の効果】
【００２０】
大型化を抑制した上で大量のゴミを貯留することができると共に、貯留したゴミを円滑に収集することができる。
【発明を実施するための最良の形態】
【００２１】
以下に、本発明の実施の形態について、図面を参照して説明する。図１は、本発明の実施の形態に係るゴミ貯留装置を適用したゴミ収集システムの構成を示す模式図である。
【００２２】
図１に示すように、本実施の形態に係るゴミ収集システム１は、例えば高層住宅等の建物２に採用され、建物２の地下に設けられた地下フロア３にはゴミ貯留装置４が配備されている。ゴミ貯留装置４には、一方で、ダストシュート（投入管）５の下流端が接続されており、該ダストシュート５の上流側は建物２の各フロア（図示せず）へ延設されている。
【００２３】
また、他方で、ゴミ貯留装置４には輸送管６の上流端が接続されており、該輸送管６は、建物２の屋外に配置されたドッキングステーション７まで、地中を通じて延設されている。該ドッキングステーション７は、ゴミ収集車８に装備された吸引管９に対して着脱自在に接続できるように構成されている。
【００２４】
前記ゴミ収集車８には、吸引管９を通じてエアを吸引するためのポンプ１０と、該ポンプ１０によってエアと共に吸引したゴミを受け入れて回収する回収室１１とが備えられている。
【００２５】
なお、本実施の形態では、ドッキングステーション７を通じてゴミ収集車８がゴミを収集するシステムについて説明しているが、輸送管６を通じてゴミ貯留装置４とゴミ処理施設（図示せず）とが直接に接続されたシステムについても、本発明を適用することが可能である。
【００２６】
図２は、ゴミ貯留装置４の構成を示す一部断面側面図である。図２に示すように、ゴミ貯留装置４は両端が閉塞された円筒形状の貯留槽２０を備えており、該貯留槽２０の上流側の周面上部には、ダストシュート５の下流端が接続されるゴミの投入口２１が設けられ、下流端下部には、輸送管６の上流端が接続されるゴミの排出口２２が設けられている。
【００２７】
投入口２１には、エアシリンダ２３及びシャッタ２４から成る第１通気遮断バルブ２５が備えられており、該第１通気遮断バルブ２５の駆動により、投入口２１は遮断状態又は非遮断状態となって通気を制御する。また同様に、排出口２２の下流側にはエアシリンダで駆動する第２通気遮断バルブ２６が備えられており、排出口２２での通気を制御する。
【００２８】
また、ゴミ貯留槽２０の下流側の周面下部であって排出口２２の近傍には、エア導入口２７が設けられており、該エア導入口２７には、ゴミ貯留槽２０内への外気の導入を制御するエアシリンダ駆動式のバタフライバルブ２８が設けられている。エア導入口２７は、ゴミ貯留槽２０の周方向へ向けて開口している。従って、エア導入口２７を通じて導入されたエアは、ゴミ貯留槽２０内を内周面に沿って周回するように通流する。
【００２９】
ゴミ貯留装置４はプッシュプレート式であり、ゴミ貯留槽２０内にはプッシュプレート３０が備えられている。プッシュプレート３０は、上部に比べて下部が下流側へ位置するように傾斜して設けられている。従って、ゴミ貯留槽２０内におけるプッシュプレート３０の上流側には小スペース３１が形成されている。
【００３０】
ゴミ貯留槽２０の軸芯位置には、下流側端部から上流側端部に至るガイドポール３２が架設されており、該ガイドポール３２はプッシュプレート３０の中心位置を貫通している。また、ガイドポール３２には、プッシュプレート３０を移動させるアクチュエータを成す油圧シリンダ３３が備えられている。該油圧シリンダ３３はプッシュプレート３０に固定されており、ガイドポール３２に沿って移動可能である。
【００３１】
従って、油圧シリンダ３３が作動することにより、プッシュプレート３０はガイドポール３２に沿って上流側又は下流側へ移動する。図２に示すように、油圧シリンダ３３の動作範囲は、プッシュプレート３０の上端部がゴミ貯留槽２０の上流端に到達する位置から、プッシュプレート３０の下端部がエア導入バルブ２７の若干上流位置に到達するまでとなっている。
【００３２】
また、ゴミ貯留槽２０の下流側の周面上部には、非接触型のマイクロウェーブ式センサ（以下、単に「センサ」という）２９が設けられている。該センサ２９は、投光器と受光器とから構成される公知のものを用いてもよく、投光器にて発生されたマイクロ波を受光器にて受光したか否かによって、両者間を遮るものが存在するか否かを検出することができる。
【００３３】
ゴミ貯留槽２０の外部には制御装置４０が備えられている。該制御装置４０は、一方で、屋外のドッキングステーション７（図１参照）との間で信号線４１を介して接続されており、更に、ドッキングステーション７にゴミ収集車８が連結された場合には、図示しない信号線を介してゴミ収集車８との間でも接続される。他方で、制御装置４０は、センサ２９との間で信号線４３を介して接続されている。
【００３４】
制御装置４０は、センサ２９にて検出された信号を受信して必要な処理を行うと共に、具備する出力部４４にて出力する。出力部４４は、センサ２９にて検出されたゴミ貯留槽２０内でのゴミの充填状態に関する情報を、信号線４１を介してゴミ収集車８へ出力し、あるいはゴミ収集車８に設けたディスプレイ上に表示する。更に、図示しないゴミ処理施設へも、無線又は有線によりゴミの充填状態に関する情報を送信する。ゴミ収集車８からも、信号線４１を介して制御装置４０へ、必要な制御信号が送信される。
【００３５】
また、制御装置４０は、一方で、屋外のドッキングステーション７との間でエアパイプ５０を介して接続されており、更に、ドッキングステーション７にゴミ収集車８が接続された場合には、図示しないエアパイプを通じてゴミ収集車８との間でも接続される。他方で、投入口２１での通気を制御する第１通気遮断バルブ２５、排出口２２での通気を制御する第２通気遮断バルブ２６、及びエア導入口２７での通気を制御するバタフライバルブ２８を駆動するエアシリンダとの間でエアパイプ５１〜５３を介して夫々接続されている。
【００３６】
従って、ドッキングステーション７に連結されたゴミ収集車８から、該ゴミ収集車８に搭載された図示しないコンプレッサからエアが圧送された場合、圧送されたエアはエアパイプ５０を通じて制御装置４０へ送られる。そして、制御装置４０は、ゴミ収集車８から信号線４１を介して送信された制御信号に基づき、エアパイプ５１〜５３の何れかへエアを供給すべく動作する。その結果、第１通気遮断バルブ２５、第２通気遮断バルブ２６、及びバタフライバルブ２８の何れかの１又は複数が駆動される。
【００３７】
また、制御装置４０は、信号線４５を介してゴミ貯留槽２０ごとに設置した油圧発生装置４６にも接続されており、油圧発生装置４６と油圧シリンダ３３との間は油圧パイプ５４によって接続されている。従って、油圧発生装置４６は、制御装置４０から信号線４５を介して送信された制御信号に基づき、油圧シリンダ３３へ圧油を供給し、その結果、プッシュプレート３０に駆動力を与える。
【００３８】
なお、本実施の形態では、ゴミ収集車８から圧送されたエアによって、第１通気遮断バルブ２５、第２通気遮断バルブ２６、及びバタフライバルブ２８を駆動させる構成について説明しているが、各バルブ及びシリンダに対して個別にコンプレッサを用意し、該コンプレッサから供給されるエアにより夫々駆動させてもよい。
【００３９】
また、制御装置４０に備えられた、ゴミ収集車８から圧送されるエアを制御する機能と、センサ２９からの検出信号又はゴミ収集車８からの制御信号を処理する機能とを、互いに独立した装置として構成してもよい。
【００４０】
上述したような構成を成すゴミ収集システム１の動作、即ち、ゴミ収集時におけるシステムの運転方法について説明する。
【００４１】
図３乃至図５は、ゴミ収集システム１の運転時におけるゴミ貯留装置４の動作図である。初めに、ゴミ貯留時には、第１通気遮断バルブ２５が非遮断状態、第２通気遮断バルブ２６が遮断状態、バタフライバルブ２８が閉状態とされ、且つ、プッシュプレート３０は最も上流側に配置される（図３（ａ））。
【００４２】
そして、ダストシュート５（図１）を通じて投入口２１から投入されたゴミは、ゴミ貯留槽２０内に蓄えられる。この際、投入口２１から投入されたゴミは、プッシュプレート３０の傾斜面に衝突し、ゴミ貯留槽２０の下流側へ弾かれる。従って、投入されたゴミは投入口２１の直下に溜まりにくくなっている。
【００４３】
ある程度の期間を経て、投入口２１の下方に大量のゴミが蓄積されると（図３（ｂ））、プッシュプレート３０を駆動させて、蓄積されたゴミを下流側へ搬送する（図３（ｃ））。これにより、投入口２１の下方には再びゴミを受け入れるスペースが確保される。
【００４４】
そして、上述したようなゴミの受け入れと、下流側へのゴミの搬送とを繰り返すことにより、ゴミ貯留槽２０内に大量のゴミを蓄えることができる。更にプッシュプレート３０によって、蓄えられたゴミを下流側へ搬送すると共に押圧及び圧縮することにより、ゴミ貯留槽２０の内部空間を最大限に活用して、より大量のゴミを蓄えることができる（図３（ｄ））。
【００４５】
なお、プッシュプレート３０の駆動は、タイマを用いて計時することにより、予め設定した時間毎に実行すればよい。また、投入口２１の下方の適宜位置にマイクロウェーブ式センサを別個に設け、該センサによって検出できる程度にゴミが蓄積されたタイミングで駆動させてもよい。更に、プッシュプレート３０に圧力センサを設け、プッシュプレート３０に予め設定した値以上の荷重が加えられたのを検出した時点で駆動させるようにしてもよい。
【００４６】
ゴミ貯留槽２０内に大量のゴミが蓄えられ、蓄えられたゴミをセンサ２９が検出すると（図４（ａ））、ゴミの貯留を一時的に中断し、建物２の各フロアに対しては「満量」の旨の表示等を行う。その後、ゴミ収集車８がドッキングステーション７に連結されてゴミ収集動作を実行する。
【００４７】
まず、プッシュプレート３０は最も上流側に配置され、第１通気遮断バルブ２５が遮断状態、第２通気遮断バルブ２６が非遮断状態とされ、ゴミ収集車８のポンプ１０によるエアの吸引と共に、バタフライバルブ２８が開状態にされる（図４（ｂ））。
【００４８】
これによりゴミ貯留槽２０内は負圧となり、エア導入口２７からゴミ貯留槽２０内、そして輸送管６及び吸引管９を通じてゴミ収集車８へ至る気流が発生する。この際、エア導入口２７はゴミ貯留槽２０の周方向へ向けて開口しているため、ゴミ貯留槽２０内には周回方向への強い気流が生じる。
【００４９】
従って、ゴミ貯留槽２０内に蓄えられていたゴミは、生じた気流によって攪拌され、１つ１つが分離して搬送され易くなる。攪拌されたゴミは、気流に乗ってゴミ貯留槽２０の排出口２２から排出され（図４（ｃ））、輸送管６及び吸引管９を通って吸引され、ゴミ収集車８内の回収室１１へ集められる。
【００５０】
エア導入口２７はゴミ貯留槽２０の下流側に設けられているため、該ゴミ貯留槽２０内の上流側に蓄積されたゴミの一部は、上述したゴミ収集動作のみでは完全にゴミ収集車８へ吸引されない場合がある。この場合には、プッシュプレート３０を移動させて、上流側に残されたゴミを下流側へ搬送し（図５（ａ））、エアと共にゴミを吸引する（図５（ｂ））。
【００５１】
依然として少量のゴミが残存する場合は、プッシュプレート３０を最も上流側に配置し、第１通気遮断バルブ２５を非遮断状態として吸引する。これにより、ゴミ貯留槽２０内には投入口２１から排出口２２へ至る気流を生じ、残存するほとんどのゴミを吸引することができる（図５（ｃ））。
【００５２】
なお、ゴミ収集動作の開始は、センサ２９の検出信号に基づいて出力部４４がゴミ貯留装置４に設けたディスプレイ上に表示したゴミの充填状態に関する情報を、人員が確認して実行してもよい。または、定期的にゴミ収集車８を配送し、ドッキングステーション７を介して制御装置４０から送信された情報に基づいて実行してもよい。更に、出力部４４から無線又は有線によって送信された情報に基づいて、ゴミ処理施設にて判断してゴミ収集動作を開始してもよい。
【００５３】
また、本実施の形態ではセンサ２９を１つだけ設けているが、複数のセンサを設けてもよい。この場合には、ゴミの充填状態を段階的に検出することができ、ゴミを収集すべき適切なタイミングを事前に予測することができる。
【００５４】
また、マイクロウェーブ式センサ２９に替え、他の手段によってゴミの充填状態を検出してもよい。例えば、光電スイッチをマイクロウェーブ式センサと同様に使用してもよい。また、ゴミ貯留槽２０内の下流側の適宜位置に近接スイッチを配置し、溜まったゴミが該近接スイッチに接触することによって充填状態を検出してもよい。
【００５５】
他にも、プッシュプレート３０を駆動させる油圧回路中の油圧を検出する圧力センサを設けてもよい。この場合には、プッシュプレート３０でゴミを押圧したときの油圧を検出することにより、ゴミの充填状態を検出することができる。油圧シリンダ３３に替えてモータを用いてプッシュプレート３０を移動させる場合には、モータの負荷を検出するトルクセンサを設けてもよい。
【００５６】
更に他にも、ゴミ貯留槽２０の重量を圧力センサを用いて検出することにより、内部のゴミの重量を計測し、充填状態を検出するようにしてもよい。
【００５７】
上述ではプッシュプレート式のゴミ貯留装置４について説明しているが、他の方式を採用することもできる。図６は、スクリュー式のゴミ貯留装置６０を示す一部断面側面図である。
【００５８】
図６に示すゴミ貯留装置６０には、ゴミ貯留槽２０の軸芯位置に下流端から上流端へ至るセンターシャフト６１と、該センターシャフト６１を軸にして回転するスクリューフィーダ６２とが備えられている。該スクリューフィーダ６２は、ゴミ貯留槽２０の上流端位置からエア導入口２７の若干上流位置までの軸方向寸法を有している。
【００５９】
センターシャフト６１の上流側端部は、ゴミ貯留槽２０を貫通して外部へ突出しており、スプロケット及びチェーンを介してモータ６３に連結している。該モータ６３は、信号線６４を介して制御装置４０に接続されている。従って、制御装置４０からの制御信号によりモータ６３が作動し、スクリューフィーダ６２が一方向へ回転することにより、ゴミ貯留槽２０内のゴミを下流側へ搬送できるようになっている。
【００６０】
なお、図６に示す構成のうち、図２に示されたのと同じ符号が付されたものは、図２に示すのと同様の構成を成しているため、ここでの説明は省略する。また、ゴミ貯留装置６０は、上述したゴミ貯留装置４と同様に、図１に示すゴミ収集システム１に適用することができる。
【００６１】
このようなゴミ貯留装置６０をゴミ収集システム１に適用した場合の該システムの動作について説明する。
【００６２】
図７乃至図９は、ゴミ貯留装置６０を適用したゴミ収集システム１の運転時における、前記ゴミ貯留装置６０の動作図である。初めに、ゴミ貯留時には、スクリューフィーダ６２は停止され、且つ、第１通気遮断バルブ２５が非遮断状態、第２通気遮断バルブ２６が遮断状態、バタフライバルブ２８が閉状態とされる（図７（ａ））。そして、ダストシュート５（図１）を通じて投入口２１から投入されたゴミは、ゴミ貯留槽２０内に蓄えられる。
【００６３】
ある程度の期間を経て、投入口２１の下方に大量のゴミが蓄積されると（図７（ｂ））、モータ６３を作動してスクリューフィーダ６２を駆動させて、蓄積されたゴミを下流側へ搬送する（図７（ｃ））。これにより、投入口２１の下方には再びゴミを受け入れるスペースが確保される。
【００６４】
そして、上述したようなゴミの受け入れと、下流側へのゴミの搬送とを繰り返すことにより、ゴミ貯留槽２０内に大量のゴミを蓄えることができる。また、モータ６３に更なるトルクを生じさせることにより、スクリューフィーダ６２によってゴミを下流側へ押圧及び圧縮し、ゴミ貯留槽２０の内部空間を最大限に活用して、より大量のゴミを蓄えることができる（図７（ｄ））。
【００６５】
ゴミ貯留槽２０内に大量のゴミが蓄えられ、蓄えられたゴミをセンサ２９が検出すると（図８（ａ））、ゴミの貯留を一時的に中断し、建物２の各フロアに対しては「満量」の旨の表示等を行う。その後、ゴミ収集車８がドッキングステーション７に連結されてゴミ収集動作を実行する。
【００６６】
まず、スクリューフィーダ６２は停止され、第１通気遮断バルブ２５が遮断状態、第２通気遮断バルブ２６が非遮断状態とされ、ゴミ収集車８のポンプ１０によるエアの吸引と共に、バタフライバルブ２８が開状態にされる（図８（ｂ））。これにより、ゴミ貯留装置４の場合と同様に、ゴミ貯留槽２０内の下流側に蓄えられていたゴミは攪拌され、気流に乗って排出口２２から排出され（図８（ｃ））、ゴミ収集車８へ吸引されて回収される。
【００６７】
ゴミ貯留槽２０内の上流側にゴミが残されている場合は、スクリューフィーダ６２を回転させ、上流側に蓄積されたゴミを下流側へ搬送する（図９（ａ））。これにより、ゴミは下流側へ搬送されつつ、搬送されたゴミは順次気流によって攪拌されて排出口２２から排出され（図９（ｂ））、ゴミ収集車８によって回収される。
【００６８】
依然として少量のゴミが残存する場合は、スクリューフィーダ６２が回転している先程の状態（図９（ｂ）参照）に加え、第１通気遮断バルブ２５を非遮断状態として吸引する。これにより、ゴミ貯留槽２０内には投入口２１から排出口２２へ至る気流を生じ、残存するほとんどのゴミを吸引することができる（図９（ｃ））。
【００６９】
更に、上述したプッシュプレート式及びスクリュー式の他、ベルトコンベア式を採用することも可能である。図１０は、ベルトコンベア式のゴミ貯留装置７０を示す一部断面側面図である。
【００７０】
図１０に示すゴミ貯留装置７０には、ゴミ貯留槽２０内に、上流端からエア導入口２７の若干上流位置に至るまでベルトコンベア７１が敷設されている。該ベルトコンベア７１が有する回転ドラム７２はモータ７３に連結されており、該モータ７３は制御装置４０との間で信号線７４を介して接続されている。従って、制御装置４０からの制御信号によりモータ７３が作動し、ベルトコンベア７１が一方向へ回転することによって、ゴミ貯留槽２０内のゴミを下流側へ搬送できるようになっている。
【００７１】
ところで、図１０に示す構成のうち、図２に示されたのと同じ符号が付されたものは、図２に示すのと同様の構成を成しているため、ここでの説明は省略する。また、ゴミ貯留装置７０は、上述したゴミ貯留装置４と同様に、図１に示すゴミ収集システム１に適用することができる。その結果、ゴミ貯留槽２０内に大量のゴミを貯留することができると共に、円滑なゴミ収集動作を実現することができる。なお、ゴミ貯留装置７０を適用したゴミ収集システム１の動作は、ゴミ貯留装置４を適用したゴミ収集システム１の動作（図３乃至図５参照）と同様であるので、ここでの説明は省略する。
【産業上の利用可能性】
【００７２】
本発明は、例えば高層マンション、高層オフィスビルなどにおけるゴミの貯留及び収集に利用することができる。
【図面の簡単な説明】
【００７３】
【図１】本発明の実施の形態に係るゴミ貯留装置を適用したゴミ収集システムの構成を示す模式図である。
【図２】図１に示すゴミ貯留装置の構成を示す一部断面側面図である。
【図３】図２に示すゴミ貯留装置を採用したゴミ収集システムの運転時における前記ゴミ貯留装置の動作図である。
【図４】図２に示すゴミ貯留装置を採用したゴミ収集システムの運転時における前記ゴミ貯留装置の動作図である。
【図５】図２に示すゴミ貯留装置を採用したゴミ収集システムの運転時における前記ゴミ貯留装置の動作図である。
【図６】他の構成を成すゴミ貯留装置を示す一部断面側面図である。
【図７】図６に示すゴミ貯留装置を採用したゴミ収集システムの運転時における前記ゴミ貯留装置の動作図である。
【図８】図６に示すゴミ貯留装置を採用したゴミ収集システムの運転時における前記ゴミ貯留装置の動作図である。
【図９】図６に示すゴミ貯留装置を採用したゴミ収集システムの運転時における前記ゴミ貯留装置の動作図である。
【図１０】更に他の構成を成すゴミ貯留装置を示す一部断面側面図である。
【符号の説明】
【００７４】
１    ゴミ収集システム
２    建物
３    地下フロア
４，６０，７０  ゴミ貯留装置
５    ダストシュート
６    輸送管
７    ドッキングステーション
８    ゴミ収集車
９    吸引管
１０  ポンプ
１１  回収室
２０  ゴミ貯留槽
２１  投入口
２２  排出口
２５  第１通気遮断バルブ
２６  第２通気遮断バルブ
２７  エア導入口
２８  バタフライバルブ
２９  マイクロウェーブ式センサ
３０  プッシュプレート
３３  油圧シリンダ
４０  制御装置
４４  出力部
６２  スクリューフィーダ
６３，７３  モータ
７１  ベルトコンベア
【図１】
2005029349.tif 000003
【図２】
2005029349.tif 000004
【図３】
2005029349.tif 000005
【図４】
2005029349.tif 000006
【図５】
2005029349.tif 000007
【図６】
2005029349.tif 000008
【図７】
2005029349.tif 000009
【図８】
2005029349.tif 000010
【図９】
2005029349.tif 000011
【図１０】
2005029349.tif 000012